(57)【要約】【課題】内蔵ＨＤＤと着脱可能なリムーバブルＨＤＤの両記録媒体を使用する映像信号記録再生装置において、リムーバブルＨＤＤを他の装置で再生する場合や、他の装置で記録されたリムーバブルＨＤＤを再生する場合のいずれにおいても画像の検索を可能とする映像信号記録再生装置を提供する。【解決手段】映像信号をリムーバブルＨＤＤに記録したときは検索情報を両方のＨＤＤに記録し、映像信号を内蔵ＨＤＤに記録したときは検索情報を内蔵ＨＤＤに記録すると共に記録日時をリムーバブルＨＤＤにも記録し、電源投入後、両ＨＤＤに記録されている検索情報の最新記録日時を照合し、一致しないときは内蔵ＨＤＤに記録されているリムーバブルＨＤＤに関する検索情報を現在装着されているリムーバブルＨＤＤに記録されている検索情報で更新記録する映像信号記録再生装置とする。【選択図】図１
2006229824.tif 000002
【特許請求の範囲】
【請求項１】
外部より入力する映像信号を記録する内蔵型と着脱型のハードディスクドライブを備えた映像信号記録再生装置において、
前記映像信号を前記内蔵型或いは着脱型のハードディスクドライブに記録する映像信号記録手段と、
前記映像信号が着脱型のハードディスクドライブに記録された場合には、前記映像信号の記録に関連した検索情報を着脱型および内蔵型双方のハードディスクドライブに記録し、前記映像信号が内蔵型ハードディスクドライブに記録された場合には、前記映像信号の記録に関連した検索情報を内蔵型ハードディスクドライブに記録すると共に前記検索情報の記録日時を前記着脱型ハードディスクドライブに記録する検索情報記録手段と、
前記内蔵型ハードディスクドライブ及び前記着脱型ハ−ドディスクドライブに記録されている前記映像信号、前記映像信号に関連した検索情報及び前記検索情報の記録日時を再生する際、前記内蔵型と着脱型ハードディスクドライブに記録されている前記検索情報の記録日時を照合する照合手段と、
前記照合手段の照合結果に基づき、前記内蔵型ハードディスクドライブに記録されている着脱型ハードディスクドライブに関する前記検索情報を消去すると共に、前記着脱型ハードディスクドライブに記録されている検索情報に更新記録する検索情報更新手段と、
を有することを特徴とする映像信号記録再生装置。
【発明の詳細な説明】
【技術分野】
【０００１】
本発明は映像信号記録再生装置に係り、特にハードディスクドライブを記録媒体に用いた監視カメラの映像信号記録再生装置に関する。
【背景技術】
【０００２】
監視カメラで撮像した画像を記録するため従来はＶＴＲ（ビデオテープレコーダ）が用いられていたが、近年は記録媒体としてビデオテープに代わって大容量のＨＤＤ（ハードディスクドライブ）を使用するＨＤＲ（ハードディスクレコーダ）と呼ばれる映像信号記録再生装置が多く用いられるようになった。
ＨＤＤはビデオテープに比べてアクセス性が良いことから、これを使ったＨＤＲでは記録した画像の検索が極めて迅速に行えるので画像の分析がやり易くなるなど監視カメラ用の映像信号記録再生装置として好適である。
【０００３】
監視カメラ用ＨＤＲは当初装置に内蔵するタイプのＨＤＤを使用していたが、内蔵では記録時間に制限があり、また画像の分析を別の装置でも行えるようにする必要性から着脱可能なリムーバブルＨＤＤが使用できるようになった。こうしたことから１台の監視カメラ用ＨＤＲには、目的に応じて使い分けが可能なように、内蔵ＨＤＤとリムーバブルＨＤＤの２種類のＨＤＤを装備する構造になっているものが多い。
【０００４】
このような、内蔵のＨＤＤを持った上にさらに着脱可能な記録媒体を備えた映像信号記録再生装置では、通常、両記録媒体に記録された画像の検索用の情報を内蔵ＨＤＤ側に記録しておき、両記録媒体に記録されている画像を一括管理して検索を行うシステムになっている例が多い（例えば、特許文献１参照）。
【特許文献１】特開２００２−１５０７５４号公報
【発明の開示】
【発明が解決しようとする課題】
【０００５】
しかしながら、このような内蔵ＨＤＤ側に両記録媒体の検索情報を記録する方法では、着脱可能な記録媒体を他の再生装置で使用するときには検索情報が無いために検索が行えない問題があり、又、他の装置で記録された記録媒体をこの装置で再生するときにも検索情報が無いために検索が行えない問題がある。
ことに監視カメラ用の映像信号記録再生装置は、設置場所が固定されているために移動が困難であったり操作性がよくない等の理由から、別の装置で画像の再生を行うことが必要になるので、従来の内蔵ＨＤＤ側に両記録媒体の検索情報を記録する方法では不都合である。
【０００６】
本発明は、このような従来の問題点に鑑みなされたものであり、その目的は、内蔵ＨＤＤと着脱可能なリムーバブルＨＤＤの両記録媒体を使用する映像信号記録再生装置において、リムーバブルＨＤＤを他の装置で再生する場合や、他の装置で記録されたリムーバブルＨＤＤを再生する場合のいずれにおいても画像の検索を可能とする映像信号記録再生装置を提供するものである。
【課題を解決するための手段】
【０００７】
本発明は上記課題を解決する手段として以下に記載の構成からなる。
すなわち、外部より入力する映像信号を記録する内蔵型と着脱型のハードディスクドライブを備えた映像信号記録再生装置において、
前記映像信号を前記内蔵型或いは着脱型のハードディスクドライブに記録する映像信号記録手段と、
前記映像信号が着脱型のハードディスクドライブに記録された場合には、前記映像信号の記録に関連した検索情報を着脱型および内蔵型双方のハードディスクドライブに記録し、前記映像信号が内蔵型ハードディスクドライブに記録された場合には、前記映像信号の記録に関連した検索情報を内蔵型ハードディスクドライブに記録すると共に前記検索情報の記録日時を前記着脱型ハードディスクドライブに記録する検索情報記録手段と、
前記内蔵型ハードディスクドライブ及び前記着脱型ハ−ドディスクドライブに記録されている前記映像信号、前記映像信号に関連した検索情報及び前記検索情報の記録日時を再生する際、前記内蔵型と着脱型ハードディスクドライブに記録されている前記検索情報の記録日時を照合する照合手段と、
前記照合手段の照合結果に基づき、前記内蔵型ハードディスクドライブに記録されている着脱型ハードディスクドライブに関する前記検索情報を消去すると共に、前記着脱型ハードディスクドライブに記録されている検索情報に更新記録する検索情報更新手段と、
を有することを特徴とする映像信号記録再生装置である。
【発明の効果】
【０００８】
他のＨＤＲでリムーバブルＨＤＤの記録内容が変更されたり、別の記録済みリムーバブルＨＤＤに交換しても、内蔵ＨＤＤに記録されている検索用レコード情報は、電源オンと同時に現在装着されているリムーバブルＨＤＤの検索用レコードに更新されるので、内蔵ＨＤＤとリムーバブルＨＤＤ双方に記録されている画像ファイルの検索情報の一括管理が可能になる。
これによりリムーバブルＨＤＤを複数の装置で共用した場合にも、どの装置でも検索レコードを使った画像ファイルの検索ができるようになる。
【発明を実施するための最良の形態】
【０００９】
以下、本発明を実施するための最良の形態について、図面と共に説明する。
図１は本発明に係る監視カメラ用の映像信号記録再生装置の一実施形態を示したブロック図であり、図２は検索用レコードの更新記録の動作を説明するフローチャートである。
図１において、ＣＰＵ（マイクロコンピュータ）１０１、メモリ１０２、内蔵ＨＤＤ１０３、リムーバブルＨＤＤ１０４、時計１０５、映像信号処理部１０６、操作部１０７はバスライン１０８に接続されており、このバスライン１０８を介して相互にデジタルデータの送受を行いデジタルデータの情報内容に従って各ブロックは動作するようになっている。
【００１０】
図１に示す監視カメラ用映像信号記録再生装置において、映像信号を記録するときはまず使用者は操作部１０７で記録開始終了の時刻を設定する。ＣＰＵ１０１は設定された記録開始時刻と時計１０５とを照合し一致したときに映像信号の記録を開始する。記録する映像信号は監視カメラ（図示せず）で撮像され、映像信号処理部１０６に入力される。入力された映像信号は映像信号処理部１０６でディジタル化とＭＰＥＧ（信号処理方式の名称）等の信号圧縮が施され、画像ファイルとして内蔵ＨＤＤ１０３またはリムーバブルＨＤＤ１０４のどちらかに記録される。この記録個所の選択は予め使用者が設定しておく。
【００１１】
所定時間の記録が終了すると、ＣＰＵ１０１は映像信号に付けられた画像ファイルの名称、監視カメラのチャンネル番号、記録の開始終了日時、内蔵もしくはリムーバブルＨＤＤ上の記録場所のアドレスなどの諸情報をひとつの検索用レコードとして内蔵ＨＤＤ１０３に設けられているデータベース領域に検索レコード更新日時を沿えて記録する。同時に、画像ファイルをリムーバブルＨＤＤ１０４に記録した場合は、同じ内容の検索用レコードをリムーバブルＨＤＤ１０４に設けたデータベース領域にも検索レコード更新日時を沿えて記録する。
【００１２】
なお、画像ファイルをリムーバブルＨＤＤ１０４ではなく内蔵ＨＤＤ１０３に記録した場合にも、リムーバブルＨＤＤ１０４のデータベース領域には内蔵ＨＤＤ１０３に記録した検索レコードの最終更新日時が分るように記録しておく。
【００１３】
このように記録を行っていくことにより、内蔵ＨＤＤ１０３のデータベース領域には内蔵ＨＤＤおよびリムーバブルＨＤＤの両方に記録された画像ファイルのすべての検索用レコードが保存されるので、リムーバブルＨＤＤ１０４を装着したままの通常使用での画像ファイル検索には内蔵ＨＤＤ１０３のデータベース情報のみを使用すればよい。
【００１４】
次に、本実施例のＨＤＲが電源オフの状態からオンにしたときの初期の動作について図２のフローチャートを併用して説明する。
リムーバブルＨＤＤ１０４の着脱は電源オフの状態で行われるので、ＨＤＲの電源をオンしたときにはリムーバブルＨＤＤ１０４が前回使用した状態のままであるか、あるいは他のＨＤＲに装着して記録が追加あるいは変更されていないか、さらに別のリムーバブルＨＤＤに変わっていないか等を調べる必要がある。
【００１５】
電源をオンにするとまずＣＰＵ１０１は、内蔵ＨＤＤ１０３のデータベース領域にある検索レコードの最終更新日時とリムーバブルＨＤＤ１０４のデータベース領域にある検索レコードの最終更新日時を照合する（図２のステップＳ１１）。これが一致すれば、リムーバブルＨＤＤ１０４も内蔵ＨＤＤ１０３も前回の最終記録状態から変わっていないことになるので、そのまま継続して記録もしくは再生等の通常使用の動作に移る。
上記の最終更新日時の照合動作は、極めて少量のデータの照合であるから一瞬で終了するので待ち時間を要しない。
【００１６】
一方、照合の結果最終更新日時が一致しない場合には、リムーバブルＨＤＤ１０４が前回の最終記録状態から変化していることになる。すなわち、電源オフの間に一旦外され、他のＨＤＲで記録が追加あるいは消去などの変更が行われているか、あるいは別のリムーバブルＨＤＤに変わっていることもある。
【００１７】
この場合には、内蔵ＨＤＤ１０３のデータベース領域に記録されているリムーバブルＨＤＤの検索用レコードをすべて消去し（ステップＳ１２）、新たに現在装着されているリムーバブルＨＤＤ１０４のデータベース領域に記録されている検索用レコードを読み出し（ステップＳ１３）、次いでその検索レコードを更新記録する（ステップＳ１４）。
そして更に、内蔵ＨＤＤ１０３とリムーバブルＨＤＤ１０４双方のデータベース領域には最新の検索用レコード更新日時を記録する（ステップＳ１５）。
【００１８】
この一連の動作により内蔵ＨＤＤ１０３のデータベース領域に記録されているリムーバブルＨＤＤの記録画像ファイルに関する検索レコードは、現在装着されているリムーバブルＨＤＤ１０４の画像ファイルの検索レコードに置き換わり検索が可能となる。又、次に電源オフ、オンをしたときにも双方の最新の検索用レコード更新日時は一致するのですぐに照合は終了し正常に映像信号の記録や検索再生が可能となる。
【００１９】
本発明に係るＨＤＲでは上記した構成および動作により、リムーバブルＨＤＤ１０４の記録状態が他のＨＤＲによって変更されても、あるいは別のリムーバブルＨＤＤに交換されても、内蔵ＨＤＤに記録されている検索用レコード情報は、電源オンと同時に現在装着されているリムーバブルＨＤＤの検索用レコードに更新されるので、内蔵ＨＤＤとリムーバブルＨＤＤ双方に記録されている画像ファイルの検索情報の一括管理が可能になる。
これによりリムーバブルＨＤＤを複数の装置で共用した場合にも、どの装置でも検索レコードを使った画像ファイルの検索ができるようになる。
【図面の簡単な説明】
【００２０】
【図１】本発明に係る監視カメラ用の映像信号記録再生装置の一実施形態を示したブロック図である。
【図２】検索用レコードの更新記録の動作を説明するフローチャートである。
【符号の説明】
【００２１】
１０１・・・ＣＰＵ（マイクロコンピュータ）
１０２・・・メモリ
１０３・・・内蔵ＨＤＤ（ハードディスクドライブ）
１０４・・・リムーバブルＨＤＤ
１０５・・・時計
１０６・・・映像信号処理部
１０７・・・操作部
１０８・・・バスライン
【図１】
2006229824.tif 000003
【図２】
2006229824.tif 000004